(57)【特許請求の範囲】
【請求項１】
昇降路内を上下方向へ移動可能なかご及び釣合おもり、
前記かご及び前記釣合おもりを案内する複数のガイドレール、
前記複数のガイドレールの少なくともいずれかに支持されている機械台、
駆動綱車を有し、前記機械台に支持され、前記昇降路の上部に配置されている巻上機、
前記昇降路の底部に設けられ、前記機械台を支持する前記ガイドレールのうち少なくともいずれかが載せられているベース、
前記ベースに設けられている下部返し車、及び
前記駆動綱車及び前記下部返し車に巻き掛けられ、前記かご及び前記釣合おもりを吊り下げる索状体
を備え、
前記ベースに載せられている前記ガイドレールは、前記釣合おもりを案内する第１の釣合おもりガイドレール及び第２の釣合おもりガイドレールであり、
前記下部返し車は、前記ベースを上から見たとき、前記第１の釣合おもりガイドレール及び前記第２の釣合おもりガイドレールを通る直線に重なっているエレベータ装置。
【請求項２】
前記下部返し車が設けられている前記ベースの部分には、上方へ開放された開放部が設けられている請求項１に記載のエレベータ装置。
【請求項３】
前記開放部は、溝であり、
前記下部返し車は、上から見たとき、前記開放部の幅方向において前記開放部の内側に収まっている請求項２に記載のエレベータ装置。
【請求項４】
前記釣合おもりは、前記昇降路を上から見たとき、前記かごの背面側に配置され、
前記複数のガイドレールは、前記釣合おもりを案内する第１及び第２の釣合おもりガイドレール、及び前記かごを案内する第１及び第２のかごガイドレールであり、
前記機械台は、前記第１及び第２の釣合おもりガイドレールに固定されている第１の梁と、前記第１の梁及び前記第１のかごガイドレールに固定されている第２の梁と、前記第１の梁及び前記第２のかごガイドレールに固定されている第３の梁とを有し、
前記巻上機は、前記第１の梁に支持されている請求項１〜請求項３のいずれか一項に記載のエレベータ装置。
【発明の詳細な説明】
【技術分野】
【０００１】
この発明は、巻上機が昇降路内の上部に設けられているエレベータ装置に関するものである。
【背景技術】
【０００２】
従来、昇降路内に巻上機を配置することで機械室をなくした機械室レスタイプのエレベータ装置が知られている。【０００３】
従来、かご用ガイドレール及び錘用ガイドレールのそれぞれの上部に固定された支持部材に頂部プーリを取り付けるとともに、錘用ガイドレールの中間部に固定された支持台に返しプーリを取り付け、頂部プーリ及び返しプーリに巻き掛けた主ロープによってかご及び釣合おもりを吊り下げた機械室レスタイプのエレベータ装置が提案されている（例えば特許文献１参照）。
【先行技術文献】
【特許文献】
【０００４】
【特許文献１】特許第５８０５５０８号
【発明の概要】
【発明が解決しようとする課題】
【０００５】
しかし、特許文献１に示されている従来のエレベータ装置では、返しプーリを取り付けた支持台が錘用ガイドレールの中間部に固定されているので、錘用ガイドレールの中間部にかかるモーメントが大きくなってしまい、錘用ガイドレールが大型化してしまう。これにより、昇降路の省スペース化を図ることができず、コストも増加してしまう。【０００６】
この発明は、上記のような課題を解決するためになされたものであり、昇降路の省スペース化を図ることができるエレベータ装置を得ることを目的とする。
【課題を解決するための手段】
【０００７】
この発明によるエレベータ装置は、昇降路内を上下方向へ移動可能なかご及び釣合おもり、かご及び釣合おもりを案内する複数のガイドレール、複数のガイドレールの少なくともいずれかに支持されている機械台、駆動綱車を有し、機械台に支持され、昇降路の上部に配置されている巻上機、昇降路の底部に設けられ、機械台を支持するガイドレールのうち少なくともいずれかが載せられているベース、ベースに設けられている下部返し車、及び駆動綱車及び下部返し車に巻き掛けられ、かご及び釣合おもりを吊り下げる索状体を備えている。
【発明の効果】
【０００８】
この発明によるエレベータ装置によれば、機械台を支持するガイドレールにかかる荷重によってベースを昇降路の底部に押し付けることができ、下部返し車に加わる上方への荷重をベースによって支持することができる。これにより、下部返し車に加わる上方への荷重によるモーメントが複数のガイドレールにかかることを回避することができ、昇降路の省スペース化を図ることができる。
【図面の簡単な説明】
【０００９】
【図１】この発明の実施の形態１によるエレベータ装置を示す斜視図である。
【図２】図１のエレベータ装置を示す上面図である。
【図３】図２のかご側から釣合おもり側を見たときの状態を示す正面図である。
【図４】図１のベースを示す上面図である。
【図５】図１のレール受け部材を示す上面図である。
【図６】この発明の実施の形態２によるエレベータ装置を示す上面図である。
【図７】図６のかご側から釣合おもり側を見たときの状態を示す正面図である。
【図８】図７の昇降路の底部を示す斜視図である。
【図９】図８のベースを示す上面図である。
【発明を実施するための形態】
【００１０】
以下、この発明の実施の形態について図面を参照して説明する。
実施の形態１．
図１は、この発明の実施の形態１によるエレベータ装置を示す斜視図である。また、図２は、図１のエレベータ装置を示す上面図である。さらに、図３は、図２のかご側から釣合おもり側を見たときの状態を示す正面図である。図において、昇降路１内には、かご２及び釣合おもり３が上下方向へ移動可能に設けられている。かご２は、底面、上面、正面２ａ、背面２ｂ及び一対の側面２ｃ，２ｄを有している。かご２の正面２ａ及び背面２ｂは昇降路１の奥行き方向について互いに対向し、かご２の一対の側面２ｃ，２ｄは昇降路１の幅方向について互いに対向している。
【００１１】
かご２の正面２ａには、かご出入口４が設けられている。各階の乗場５には、図２に示すように、乗場出入口６が設けられている。かご２は、上から見たとき、かご出入口４を乗場出入口６に向けて配置されている。
【００１２】
釣合おもり３は、上から見たとき、かご２の背面２ｂと昇降路１の壁面との間の空間に配置されている。即ち、釣合おもり３は、乗場５からみてかご２の背面２ｂ側に配置されている。これにより、本実施の形態でのエレベータ装置は、釣合おもり後ろ落ちタイプのエレベータ装置になっている。
【００１３】
昇降路１内には、第１のかごガイドレール７、第２のかごガイドレール８、第１の釣合おもりガイドレール９及び第２の釣合おもりガイドレール１０が複数のガイドレールとして設けられている。第１のかごガイドレール７、第２のかごガイドレール８、第１の釣合おもりガイドレール９及び第２の釣合おもりガイドレール１０は、昇降路１の壁面に固定された複数のレールブラケット３０によって保持されている。
【００１４】
第１のかごガイドレール７、第２のかごガイドレール８、第１の釣合おもりガイドレール９及び第２の釣合おもりガイドレール１０のそれぞれは、上下方向に沿って配置されている板状のフランジ部と、フランジ部から水平に突出し、フランジ部の長手方向に沿って配置されているガイド部とを有している。これにより、各ガイドレール７〜１０のそれぞれの断面形状は、フランジ部及びガイド部によってＴ字状になっている。
【００１５】
第１及び第２のかごガイドレール７，８は、昇降路１の幅方向についてガイド部を互いに対向させた状態で配置されている。かご２は、第１及び第２のかごガイドレール７，８間に配置されている。かご２は、第１及び第２のかごガイドレール７，８のそれぞれのガイド部に案内されながら昇降路１内を上下方向へ移動する。
【００１６】
第１及び第２の釣合おもりガイドレール９，１０も、昇降路１の幅方向についてガイド部を互いに対向させた状態で配置されている。従って、昇降路１を上から見たとき、第１及び第２のかごガイドレール７，８のそれぞれのガイド部を結ぶ直線と、第１及び第２の釣合おもりガイドレール９，１０のそれぞれのガイド部を結ぶ直線とは、互いに平行になっている。釣合おもり３は、第１及び第２の釣合おもりガイドレール９，１０間に配置されている。釣合おもり３は、第１及び第２の釣合おもりガイドレール９，１０のそれぞれのガイド部に案内されながら昇降路１内を上下方向へ移動する。
【００１７】
昇降路１内の上部には、図１に示すように、機械台１１と、機械台１１に支持されている巻上機１２とが設けられている。機械台１１及び巻上機１２は、釣合おもり３の上下方向の移動範囲よりも上方に配置されている。
【００１８】
機械台１１は、すべてのガイドレール７〜１０に支持されている。また、機械台１１は、第１及び第２の釣合おもりガイドレール９，１０に固定されている第１の梁１１１と、第１の梁１１１及び第１のかごガイドレール７に固定されている第２の梁１１２と、第１の梁１１１及び第２のかごガイドレール８に固定されている第３の梁１１３とを有している。
【００１９】
第１の釣合おもりガイドレール９の上端部は、第２の釣合おもりガイドレール１０の上端部よりも低い位置に配置されている。第１の梁１１１は、第１の釣合おもりガイドレール９の上端面に載せられている。また、第１の梁１１１は、昇降路１の幅方向に沿って水平に配置されている。第２の梁１１２は、第１の梁１１１の一端部と第１のかごガイドレール７の上部との間に渡して水平に配置されている。第３の梁１１３は、第１の梁１１１の他端部と第２のかごガイドレール８との間に渡して水平に配置されている。
【００２０】
巻上機１２は、かご２及び釣合おもり３を上下方向へ移動させる駆動力を発生する駆動装置である。また、巻上機１２は、径方向寸法が軸線方向寸法よりも大きい薄型巻上機である。巻上機１２は、第１の梁１１１の上面に載せられている。巻上機１２は、上から見たとき、図２に示すように、かご２の領域外に配置され、かつかご２の背面２ｂと昇降路１の壁面との間の空間に配置されている。
【００２１】
巻上機１２は、モータを含む巻上機本体１２１と、巻上機本体１２１に設けられている駆動綱車１２２とを有している。巻上機１２は、駆動綱車１２２の軸線を水平にし、かつ駆動綱車１２２をかご２側に向けた状態で、配置されている。
【００２２】
昇降路１内の上部には、第１の綱止め装置１３、第２の綱止め装置１４及び一対の上部返し車１５が設けられている。第１の綱止め装置１３は第３の梁１１３に設けられ、第２の綱止め装置１４は第１の梁１１１に設けられている。一対の上部返し車１５は、第２の梁１１２に設けられている。一対の上部返し車１５は、昇降路１の奥行き方向へ並んで配置されている。
【００２３】
かご２の下部には一対のかご吊り車１６が設けられ、釣合おもり３の上部には釣合おもり吊り車１７が設けられている。昇降路１の底部には、下部返し車１８が設けられている。
【００２４】
かご２及び釣合おもり３は、複数本の索状体１９によって昇降路１内に吊り下げられている。索状体１９としては、例えばロープ又はベルトが用いられている。各索状体１９の一端部は第１の綱止め装置１３に接続され、各索状体１９の他端部は第２の綱止め装置１４に接続されている。各索状体１９は、第１の綱止め装置１３から、一対のかご吊り車１６、一対の上部返し車１５、下部返し車１８、駆動綱車１２２及び釣合おもり吊り車１７の順に巻き掛けられ、第２の綱止め装置１４に達している。これにより、かご２及び釣合おもり３は、２：１ローピング方式で吊り下げられている。
【００２５】
昇降路１の底部には、ベース２１及びレール受け部材３１が設けられている。ベース２１及びレール受け部材３１は、互いに離して配置されている。ベース２１には、機械台１１を支持する複数のガイドレール７〜１０のうち少なくともいずれかが載せられている。レール受け部材３１には、複数のガイドレール７〜１０のうちベース２１に載せられたガイドレール以外のガイドレールが載せられている。
【００２６】
この例では、第１及び第２の釣合おもりガイドレール９，１０がベース２１に載せられ、第１及び第２のかごガイドレール７，８がレール受け部材３１に載せられている。これにより、ベース２１は、第１及び第２の釣合おもりガイドレール９，１０から受ける荷重によって昇降路１の底部に押し付けられている。また、レール受け部材３１は、第１及び第２のかごガイドレール７，８から受ける荷重によって昇降路１の底部に押し付けられている。
【００２７】
下部返し車１８は、支持部材２０を介してベース２１に設けられている。下部返し車１８は、支持部材２０に水平に取り付けられた回転軸１８ａの軸線を中心に回転自在になっている。この例では、図３に示すように、下部返し車１８の下端部がベース２１の上端部よりも高い位置に配置されている。
【００２８】
下部返し車１８は、上から見たとき、図２に示すように、かご２の背面２ｂと昇降路１の壁面との間の空間に配置されている。駆動綱車１２２は、昇降路１を上から見たとき、下部返し車１８よりもかご２に近い位置に配置されている。これにより、昇降路１の奥行き方向の寸法の縮小化が図られている。また、この例では、駆動綱車１２２が第１及び第２の釣合おもりガイドレール９，１０のそれぞれよりもかご２に近い位置に配置されている。
【００２９】
図４は、図１のベース２１を示す上面図である。ベース２１は、上から見たとき、第１及び第２の釣合おもりガイドレール９，１０のそれぞれのガイド部を通る直線であるレール間中心線Ａに沿って配置されている。また、ベース２１の一部は、第１及び第２の釣合おもりガイドレール９，１０間の範囲から外側へ延長された延長部２１ａになっている。
【００３０】
下部返し車１８は、ベース２１の延長部２１ａに設けられている。また、下部返し車１８は、上から見たとき、レール間中心線Ａ上に配置されている。即ち、下部返し車１８は、上から見たとき、レール間中心線Ａに重なっている。この例では、上から見たとき、下部返し車１８の回転軸１８ａの軸線がレール間中心線Ａと直交し、かつ下部返し車１８の中心位置がレール間中心線Ａに重なっている。
【００３１】
ベース２１は、一対の側板部２１１，２１２と、一対の側板部２１１，２１２の下端部同士を結ぶ底板部２１３とを有している。一対の側板部２１１，２１２は、ベース２１の幅方向について互いに対向している。ベース２１の長手方向に直交する平面でベース２１を切断したとき、ベース２１の断面形状は、一対の側板部２１１，２１２及び底板部２１３によってＵ字状になっている。ベース２１は、図１に示すように、ベース２１のＵ字状の開放部を上方に向けて配置されている。即ち、ベース２１には、上方へ開放された開放部が設けられている。この例では、ベース２１の開放部がベース２１の長手方向に沿った溝になっている。なお、ベース２１の断面形状は、Ｕ字状に限定されず、例えば、Ｕ字状の両側の上端部からベース２１の幅方向外側へ一対の突出部がそれぞれ突出する形状、Ｕ字状の両側の上端部からベース２１の幅方向内側へ一対の突出部がそれぞれ突出する形状等にしてもよい。
【００３２】
下部返し車１８が設けられているベース２１の部分には、上方へ開放された開放部が設けられている。また、下部返し車１８は、上から見たとき、図４に示すように、ベース２１の開放部の幅方向において開放部の内側に収まっている。下部返し車１８を支持する支持部材２０は、ベース２１の内面に固定されている。
【００３３】
第１及び第２の釣合おもりガイドレール９，１０のそれぞれの下端部は、ベース２１の一対の側板部２１１，２１２間に挿入されている。また、第１及び第２の釣合おもりガイドレール９，１０のそれぞれの下端部は、ベース２１に設けられたレール当て板２２に取り付けられている。
【００３４】
図５は、図１のレール受け部材３１を示す上面図である。レール受け部材３１は、水平に配置された板状部材である。また、レール受け部材３１は、上から見たとき、第１及び第２のかごガイドレール７，８のそれぞれのガイド部を通る直線に沿って配置されている。第１のかごガイドレール７はレール受け部材３１の一端部に載せられ、第２のかごガイドレール８はレール受け部材３１の他端部に載せられている。第１及び第２のかごガイドレール７，８のそれぞれの下端部は、レール受け部材３１に設けられたレール当て板３２に取り付けられている。
【００３５】
昇降路１内の上部には、制御盤２５が設けられている。制御盤２５は、上から見たとき、図２に示すように、下部返し車１８の領域の一部に重なっている。また、制御盤２５は、機械台１１の位置よりも低い位置に配置されている。巻上機１２は、制御盤２５により制御される。駆動綱車１２２は、巻上機１２の駆動力により回転する。かご２及び釣合おもり３は、駆動綱車１２２の回転によって上下方向へ移動する。
【００３６】
このようなエレベータ装置では、機械台１１を支持する第１及び第２の釣合おもりガイドレール９，１０がベース２１に載せられ、下部返し車１８がベース２１に設けられているので、第１及び第２の釣合おもりガイドレール９，１０にかかる荷重によってベース２１を昇降路１の底部に押し付けることができ、下部返し車１８に加わる上方への荷重をベース２１によって支持することができる。また、第１及び第２の釣合おもりガイドレール９，１０がベース２１に載せられていることにより、下部返し車１８に加わる上方への荷重によるモーメントが各ガイドレール７〜１０にかかることを回避することができる。これにより、第１及び第２の釣合おもりガイドレール９，１０の大型化を防止することができ、昇降路１の省スペース化及びコストの低減化を図ることができる。
【００３７】
ここで、本実施の形態では、駆動綱車１２２が下部返し車１８よりもかご２に近い位置に配置されているので、下部返し車１８を側方から見たとき、下部返し車１８の回転軸１８ａの軸線に直交する下部返し車１８の中心線と、駆動綱車１２２から下部返し車１８への索状体１９とがなす角度、即ち駆動綱車１２２から下部返し車１８への索状体１９のフリート角θが大きくなりやすい。フリート角θが大きくなると、下部返し車１８に対する索状体１９の進入角度が大きくなり、索状体１９の寿命及び下部返し車１８の支持部分に悪影響を与える。しかし、本実施の形態では、巻上機１２が昇降路１の上部に設けられ、下部返し車１８が昇降路１の底部に設けられているので、駆動綱車１２２と下部返し車１８との間の上下方向の距離を拡大することができる。これにより、本実施の形態では、駆動綱車１２２から下部返し車１８への索状体１９のフリート角θを小さくすることができ、下部返し車１８に対する索状体１９の進入角度を緩和することができる。
【００３８】
また、下部返し車１８は、ベース２１を上から見たとき、第１及び第２の釣合おもりガイドレール９，１０のそれぞれを通るレール間中心線Ａ上に配置されているので、下部返し車１８が上方への荷重を受けてもベース２１にねじり応力が発生することを防止することができる。これにより、ベース２１の強度を設計するときに、主に曲げ応力に対する強度を設計するだけでよくなり、ベース２１の大型化及びコストの増加を防止することができる。
【００３９】
また、下部返し車１８が設けられているベース２１の部分には、上方へ開放された開放部が設けられているので、ベース２１の強度を簡単な構成で確保することができ、コストの低減化を図ることができる。
【００４０】
また、下部返し車１８は、上から見たとき、ベース２１の開放部の幅方向において開放部の内側に収まっているので、下部返し車１８を支持する支持部材２０をベース２１の開放部からベース２１の内面に取り付けやすくすることができ、ベース２１に対する下部返し車１８の取り付け作業を容易にすることができる。
【００４１】
また、下部返し車１８の下端部は、ベース２１の上端部よりも高い位置に配置されているので、支持部材２０をベース２１に取り付けるときのスペースを確保することができ、ベース２１に対する支持部材２０の取り付け作業を容易にすることができる。
【００４２】
また、機械台１１は、第１及び第２の釣合おもりガイドレール９，１０に固定されている第１の梁１１１と、第１の梁１１１及び第１のかごガイドレール７に固定されている第２の梁１１２と、第１の梁１１１及び第２のかごガイドレール８に固定されている第３の梁１１３とを有し、巻上機１２は第１の梁１１１に支持されているので、複数のガイドレール７〜１０によって機械台１１を支持することができ、巻上機１２を安定して支持することができる。特に、駆動綱車１２２にかかる下方への荷重によって第１の梁１１１にねじり応力が発生する場合、第１の梁１１１に発生するねじり応力を第１及び第２のかごガイドレール７，８によって支持することができる。これにより、第１の梁１１１の大型化の抑制を図ることができる。
【００４３】
なお、上記の例では、第１の釣合おもりガイドレール９及び第２の釣合おもりガイドレール１０がベース２１に載せられているが、機械台１１を支持する複数のガイドレール７〜１０の少なくともいずれかがベース２１に載せられていればよい。従って、例えば第１の釣合おもりガイドレール９のみがベース２１に載せられていてもよい。
【００４４】
また、上記の例では、ベース２１を上から見たとき、第１及び第２の釣合おもりガイドレール９，１０を通るレール間中心線Ａ上に下部返し車１８が配置されているが、下部返し車１８をレール間中心線Ａから外して配置してもよい。このようにしても、第１及び第２の釣合おもりガイドレール９，１０にモーメントがかかることを回避することができ、昇降路１の省スペース化及びコストの低減化を図ることができる。
【００４５】
また、上記の例では、ベース２１を上から見たとき、第１及び第２の釣合おもりガイドレール９，１０を通るレール間中心線Ａと、下部返し車１８の回転軸１８ａの軸線とが直交しているが、下部返し車１８の軸線をレール間中心線Ａに対して傾斜させてもよい。
【００４６】
実施の形態２．
図６は、この発明の実施の形態２によるエレベータ装置を示す上面図である。また、図７は、図６のかご側から釣合おもり側を見たときの状態を示す正面図である。下部返し車１８及び上部返し車１５は、上から見たとき、図６に示すように、かご２の一方の側面２ｃと昇降路１の壁面との間の空間に配置されている。また、下部返し車１８の回転軸１８ａの軸線方向は、昇降路１の幅方向と一致し、昇降路１の奥行き方向に直交している。また、この例では、上部返し車１５の数が１つになっている。
【００４７】
図８は、図７の昇降路１の底部を示す斜視図である。また、図９は、図８のベース２１を示す上面図である。昇降路１の底部には、ベース２１及びレール受け部材３１が設けられている。ベース２１は、レール受け部材３１に連結されている。
【００４８】
ベース２１は、第１のベース部材２３と、第１のベース部材２３及びレール受け部材３１を互いに連結する第２のベース部材２４とを有している。
【００４９】
第１のベース部材２３には、第１及び第２の釣合おもりガイドレール９，１０が載せられている。第１のベース部材２３は、上から見たとき、第１及び第２の釣合おもりガイドレール９，１０のそれぞれのガイド部を通る直線に沿って配置されている。また、第１のベース部材２３の一部は、第１及び第２の釣合おもりガイドレール９，１０間の範囲から外側へ延長された延長部２３ａになっている。
【００５０】
第２のベース部材２４は、昇降路１の奥行き方向に沿って配置されている。第２のベース部材２４の一端部は、第１のベース部材２３の延長部２３ａに取り付けられている。第２のベース部材２４の他端部は、レール受け部材３１に取り付けられている。第２のベース部材２４の他端部には、レール受け部材３１を介して第１のかごガイドレール７が載せられている。これにより、この例では、複数のガイドレール７〜１０のうち、３つのガイドレールである第１のかごガイドレール７、第１の釣合おもりガイドレール９及び第２の釣合おもりガイドレール１０がベース２１に載せられている。ベース２１は、第１のかごガイドレール７、第１の釣合おもりガイドレール９及び第２の釣合おもりガイドレール１０にかかる荷重によって昇降路１の底部に押し付けられている。
【００５１】
下部返し車１８は、支持部材２０を介して第２のベース部材２４の中間部に設けられている。これにより、下部返し車１８は、第１の釣合おもりガイドレール９と第１のかごガイドレール７との間に位置するベース２１の部分に支持部材２０を介して設けられている。下部返し車１８は、支持部材２０に水平に取り付けられた回転軸１８ａを中心に回転自在になっている。回転軸１８ａの軸線は、第２のベース部材２４の長手方向に直交している。
【００５２】
第１のベース部材２３及び第２のベース部材２４のそれぞれは、一対の側板部２１１，２１２と、一対の側板部２１１，２１２の下端部同士を結ぶ底板部２１３とを有している。第１のベース部材２３及び第２のベース部材２４のそれぞれの断面形状は、一対の側板部２１１，２１２及び底板部２１３によってＵ字状になっている。第１のベース部材２３及び第２のベース部材２４のそれぞれは、第１のベース部材２３及び第２のベース部材２４のＵ字状の開放部を上方に向けて配置されている。即ち、第１のベース部材２３及び第２のベース部材２４には、上方へ開放された開放部が設けられている。この例では、第１のベース部材２３の開放部が第１のベース部材２３の長手方向に沿った溝になっており、第２のベース部材２４の開放部が第２のベース部材２４の長手方向に沿った溝になっている。なお、第１のベース部材２３及び第２のベース部材２４の断面形状は、Ｕ字状に限定されず、例えば、Ｕ字状の両側の上端部から第１のベース部材２３及び第２のベース部材２４の幅方向外側へ一対の突出部がそれぞれ突出する形状、Ｕ字状の両側の上端部から第１のベース部材２３及び第２のベース部材２４の幅方向内側へ一対の突出部がそれぞれ突出する形状等にしてもよい。
【００５３】
従って、下部返し車１８が設けられているベース２１の部分には、上方へ開放された開放部が設けられている。また、下部返し車１８は、下部返し車１８の一部をベース２１の開放部内に挿入させた状態でベース２１に設けられている。さらに、下部返し車１８は、上から見たとき、図９に示すように、第２のベース部材２４の開放部の幅方向においてベース２１の開放部の内側に収まっている。下部返し車１８を支持する支持部材２０は、ベース２１の内面に固定されている。
【００５４】
第１及び第２の釣合おもりガイドレール９，１０のそれぞれの下端部は、第１のベース部材２３の一対の側板部２１１，２１２間に挿入されている。また、第１及び第２の釣合おもりガイドレール９，１０のそれぞれの下端部は、第１のベース部材２３に設けられたレール当て板２２に取り付けられている。
【００５５】
第１のかごガイドレール７の下端部は、第２のベース部材２４の一対の側板部２１１，２１２間に挿入されている。また、第１のかごガイドレール７の下端部は、第２のベース部材２４に設けられたレール当て板２２に取り付けられている。
【００５６】
レール受け部材３１の一端部は、第２のベース部材２４の他端部内に挿入されている。第１のかごガイドレール７は、レール受け部材３１の一端部を介して第２のベース部材２４の他端部に載せられている。レール受け部材３１の他端部には、第２のかごガイドレール８が載せられている。第２のかごガイドレール８の下端部は、レール受け部材３１の他端部に設けられたレール当て板３２に取り付けられている。
【００５７】
昇降路１内の上部に設けられている制御盤２５は、上から見たとき、図６に示すように、第１のかごガイドレール７よりも乗場５に近い位置に配置されている。他の構成は、実施の形態１と同様である。
【００５８】
このようなエレベータ装置では、第１のかごガイドレール７と第１の釣合おもりガイドレール９との間に位置するベース２１の部分に下部返し車１８が設けられているので、第１のかごガイドレール７及び第１の釣合おもりガイドレール９のそれぞれにかかる荷重によって下部返し車１８の両側の位置でベース２１を昇降路１の底部に押し付けることができる。これにより、下部返し車１８に加わる上方への荷重をベース２１によって安定して支持することができる。また、第１のかごガイドレール７、第１の釣合おもりガイドレール９及び第２の釣合おもりガイドレール１０がベース２１に載せられていることにより、下部返し車１８に加わる上方への荷重によるモーメントが各ガイドレール７〜１０にかかることを回避することができ、昇降路１の省スペース化及びコストの低減化を図ることができる。
【００５９】
なお、上記の例では、第１のかごガイドレール７、第１の釣合おもりガイドレール９及び第２の釣合おもりガイドレール１０がベース２１に載せられているが、機械台１１を支持する複数のガイドレール７〜１０の少なくともいずれかがベース２１に載せられていればよい。従って、例えば、第１のかごガイドレール７及び第１の釣合おもりガイドレール９のみがベース２１に載せられていてもよい。
【００６０】
また、上記の例では、第１のかごガイドレール７がレール受け部材３１を介して第２のベース部材２４に載せられているが、第１のかごガイドレール７が第２のベース部材２４に直接載せられていてもよい。この場合、レール受け部材３１には、第２のかごガイドレール８のみが載せられる。
【００６１】
また、各上記実施の形態では、下部返し車１８の下端部がベース２１の上端部よりも高い位置に配置されているが、これに限定されず、ベース２１の上端部と同じ高さの位置に下部返し車１８の下端部を配置してもよいし、ベース２１の上端部よりも低い位置に下部返し車１８の下端部を配置してもよい。このようにすれば、下部返し車１８を支持する支持部材２０を短くすることができ、支持部材２０の材料を削減することができる。また、例えば地震の発生によって水平方向への荷重が下部返し車１８にかかった場合の下部返し車１８の振れ量を抑制することもできる。なお、下部返し車１８の下端部がベース２１の上端部よりも低い位置に配置される場合には、下部返し車１８の一部がベース２１の開放部に挿入される。
【００６２】
また、各上記実施の形態では、機械台１１が複数のガイドレール７〜１０のすべてに支持されているが、複数のガイドレール７〜１０の少なくともいずれかに機械台１１が支持されていればよく、複数のガイドレール７〜１０のうち一部のガイドレールのみによって機械台１１が支持されていてもよい。従って、例えば、機械台１１が第１及び第２の釣合おもりガイドレール９，１０のみによって支持されていてもよい。この場合、ベース２１には、機械台１１を支持するガイドレールが載せられる。
【００６３】
また、各上記実施の形態では、昇降路１を上から見たとき、巻上機１２が駆動綱車１２２をかご２側に向けて配置されているが、昇降路１を上から見たとき、駆動綱車１２２をかご２側とは反対側に向けて巻上機１２を配置してもよい。
【符号の説明】
【００６４】
１  昇降路、２  かご、３  釣合おもり、７  第１のかごガイドレール、８  第２のかごガイドレール、９  第１の釣合おもりガイドレール、１０  第２の釣合おもりガイドレール、１１  機械台、１２  巻上機、１８  下部返し車、１９  索状体、２１  ベース、１１１  第１の梁、１１２  第２の梁、１１３  第３の梁。
【要約】
エレベータ装置では、かご及び釣合おもりを案内する複数のガイドレールの少なくともいずれかに機械台が支持されている。機械台には、駆動綱車を有する巻上機が支持されている。巻上機は、昇降路の上部に配置されている。昇降路の底部には、機械台を支持するガイドレールのうち少なくともいずれかが載せられているベースが設けられている。ベースには、下部返し車が設けられている。駆動綱車及び下部返し車には、かご及び釣合おもりを吊り下げる索状体が巻き掛けられている。【図１】
0006432926.tif 000002
【図２】
0006432926.tif 000003
【図３】
0006432926.tif 000004
【図４】
0006432926.tif 000005
【図５】
0006432926.tif 000006
【図６】
0006432926.tif 000007
【図７】
0006432926.tif 000008
【図８】
0006432926.tif 000009
【図９】
0006432926.tif 000010